(57)【特許請求の範囲】
【請求項１】
エレクトロルミネッセンスパネルを有する表示パネルと、外部電源に接続可能な端子台と、前記端子台と電気的に接続され前記表示パネルを点灯制御する点灯制御部と、少なくとも一面が開放され前記点灯制御部を収納する収納部を有し前記一面側に前記表示パネルが配置される装置本体とを備え、前記装置本体の上壁に、天井材へ取り付けるための本体取付部を有し、前記本体取付部は、前記装置本体を前記天井材に取り付けるための取付ねじを挿通可能な複数の孔により構成され、前記表示パネルと前記装置本体とで構成される表示ユニットは、前記上壁から離れるに従って厚さ寸法が小さくなり、且つ、前記収納部の深さ寸法が小さくなるように、前記表示ユニットの前面と後面との一方が全体に亘って傾斜していることを特徴とする表示装置。
【請求項２】
前記点灯制御部は、回路基板に実装された複数の部品を有し、前記複数の前記部品のうち前記回路基板の厚み方向の高さ寸法が相対的に大きな前記部品を前記上壁側に配置してあることを特徴とする請求項１記載の表示装置。
【請求項３】
前記端子台が、前記収納部において前記上壁側に収納されてなることを特徴とする請求項１または請求項２記載の表示装置。
【請求項４】
前記外部電源から前記点灯制御部への電力供給が遮断されたときに前記点灯制御部へ電力を供給可能な蓄電池を備え、前記蓄電池が、前記収納部において前記上壁側に収納されてなることを特徴とする請求項１ないし請求項３のいずれか１項に記載の表示装置。
【請求項５】
前記エレクトロルミネッセンスパネルを有する第１の表示パネルとは別に前記エレクトロルミネッセンスパネルを有する第２の表示パネルを備え、前記第２の表示パネルは、前記装置本体における前記第１の表示パネル側とは反対側に配置されてなることを特徴とする請求項１ないし請求項４のいずれか１項に記載の表示装置。
【発明の詳細な説明】
【技術分野】
【０００１】
本発明は、表示装置に関するものである。
【背景技術】
【０００２】
従来から、表示装置の一種として、図８に示すような内照式の誘導灯や図９に示すような導光式の誘導灯が知られている（例えば、特許文献１）。
【０００３】
図８に示した構成の内照式の誘導灯は、表示パネル５１の背面側に直管型ランプ５３が配置されている。この内照式の誘導灯は、直管型ランプ５３からの直射光および反射板５５からの反射光を前面側に照射し、表示パネル５１に光を透過させることで、表示パネル５１の表示面を光らせる。
【０００４】
図９に示した構成の導光式の誘導灯は、光源を構成する直管型ランプ５７ａが、本体部５８の前面側に配置された表示パネル５６ａおよび導光板５６ｂの上部に配置されている。この導光式の誘導灯は、直管型ランプ５７ａからの光が導光板５６ｂの端面（上端面）から導光板５６ｂ内に入射され、入射された光が導光板５６ｂ内で複数回反射して導光板５６ｂの前面側を面発光させることで、導光板５６ｂの前面側に配置された表示パネル５６ａの表示面を光らせる。
【０００５】
また、従来から、非常の際に避難口へ誘導および案内するためのエレクトロルミネッセンスパネルスピーカ（ＥＬパネルスピーカ）を用いたエレクトロルミネッセンスパネルスピーカシステム（ＥＬパネルスピーカシステム）が提案されている（特許文献２）。
【０００６】
特許文献２に開示されたＥＬパネルスピーカシステムは、上述のＥＬパネルスピーカと、煙などを検出するセンサ部と、このＥＬパネルスピーカシステムの制御を行う制御部とを有している。なお、特許文献２には、上述のＥＬパネルスピーカシステムが、センサ部と制御部との一方または両方を、ＥＬパネルスピーカと一体に設けてもよい旨が記載されている。
【０００７】
上述の特許文献２には、ＥＬパネルスピーカとして、図１０に示すように、非常時誘導用の案内マーク６３が一面に貼り付けられた有機ＥＬパネル部６４を具備する本体部６５と、有機ＥＬパネル部６４の厚み方向に延伸し本体部６５の下側に固定される２つのスタンド６２，６２とを有する有機ＥＬパネルスピーカ６１が記載されている。
【０００８】
有機ＥＬパネル部６４は、略正方形の透明なガラス基板上に、透明電極層、有機発光層、反射層を兼ねる金属電極層の順でこれらを積層して、有機ＥＬパネル本体（図示せず）を形成している。また、有機ＥＬパネル部６４は、有機ＥＬパネル本体の上側に配置されガラス基板と接着剤により固着される封止板（図示せず）と、この封止板と金属電極層との間に配置される吸湿用シート（図示せず）とを有している。ここで、有機ＥＬパネル部６４は、有機発光層で発光した光を透明電極層を介してガラス基板側へ出射するとともに、有機発光層で発光した光の一部を金属電極層で反射してガラス基板側から出射する。
【０００９】
本体部６５は、上述の有機ＥＬパネル部６４を保持することができる矩形の枠体として構成された前フレーム６６を有している。また、本体部６５は、上述の有機ＥＬパネル部６４を前フレーム６６との間に保持する後フレーム６７を有している。なお、本体部６５は、前フレーム６６の開口部６６ａから有機ＥＬパネル部６４を露出している。
【００１０】
各スタンド６２，６２は、有機ＥＬパネルスピーカ６１を、床上等に置いたり、床上や天井等に固定したりするものである。
【先行技術文献】
【特許文献】
【００１１】
【特許文献１】特開２００９−２０５８５８号公報
【特許文献２】特開２００９−３０１４３１号公報
【発明の概要】
【発明が解決しようとする課題】
【００１２】
ところで、図８に示した構成の内照式の誘導灯では、本体部５２内の中央部に１本の直管型ランプ５３が配置されているので、輝度むらが懸念される。また、この内照式の誘導灯では、直管型ランプ５３からの直射光および反射板５５からの反射光により表示パネル５１の表示面を光らせるので、図９に示した構成の導光式の誘導灯に比べて、厚み寸法が大きくなる場合が多い。
【００１３】
また、図９に示した構成の導光式の誘導灯では、表示パネル５６ａの背面側に導光板５６ｂを有しているので、表示パネル５６ａの輝度むらを抑制することが可能となる。
【００１４】
しかしながら、図９に示した構成の導光式の誘導灯では、表示パネル５６ａの背面側に導光板５６ｂを配置しているので、より一層の薄型化を図ることが難しい。
【００１５】
また、図１０に示した構成の有機ＥＬパネルスピーカ６１を用いたＥＬパネルスピーカシステムでは、非常時誘導用の案内マーク６３が一面に貼り付けられた有機ＥＬパネル部６４を有し、この有機ＥＬパネル部６４自体で発光した光を出射するので、例えば、制御部を有機ＥＬパネルスピーカ６１と一体に設けた場合であっても、上述の導光式の誘導灯よりも薄型化を図ることが可能であると考えられる。
【００１６】
しかしながら、図１０に示した構成の有機ＥＬパネルスピーカ６１を用いたＥＬパネルスピーカシステムでは、このＥＬパネルスピーカシステムを天井に取り付ける場合、有機ＥＬパネル部６４の厚み方向に延伸した各スタンド６２，６２を本体部６５の上側に配置して、天井に取り付ける必要があり、各スタンド６２，６２を含めたシステム全体の厚み方向の専有スペースが広くなり、また、取付強度が不足する懸念がある。
【００１７】
本発明は上記事由に鑑みて為されたものであり、その目的は、輝度むらの抑制および薄型化を図ることが可能で、且つ、天井材に取り付ける場合の取付強度を高めることが可能な表示装置を提供することにある。
【課題を解決するための手段】
【００１８】
本発明の表示装置は、エレクトロルミネッセンスパネルを有する表示パネルと、外部電源に接続可能な端子台と、前記端子台と電気的に接続され前記表示パネルを点灯制御する点灯制御部と、少なくとも一面が開放され前記点灯制御部を収納する収納部を有し前記一面側に前記表示パネルが配置される装置本体とを備え、前記装置本体の上壁に、天井材へ取り付けるための本体取付部を有し、前記本体取付部は、前記装置本体を前記天井材に取り付けるための取付ねじを挿通可能な複数の孔により構成され、前記表示パネルと前記装置本体とで構成される表示ユニットは、前記上壁から離れるに従って厚さ寸法が小さくなり、且つ、前記収納部の深さ寸法が小さくなるように、前記表示ユニットの前面と後面との一方が全体に亘って傾斜していることを特徴とする。
【００２０】
この表示装置において、前記点灯制御部は、回路基板に実装された複数の部品を有し、前記複数の前記部品のうち前記回路基板の厚み方向の高さ寸法が相対的に大きな前記部品を前記上壁側に配置してあることが好ましい。
【００２１】
この表示装置において、前記端子台が、前記収納部において前記上壁側に収納されてなることが好ましい。
【００２２】
この表示装置において、前記外部電源から前記点灯制御部への電力供給が遮断されたときに前記点灯制御部へ電力を供給可能な蓄電池を備え、前記蓄電池が、前記収納部において前記上壁側に収納されてなることが好ましい。
【００２３】
この表示装置において、前記エレクトロルミネッセンスパネルを有する第１の表示パネルとは別に前記エレクトロルミネッセンスパネルを有する第２の表示パネルを備え、前記第２の表示パネルは、前記装置本体における前記第１の表示パネル側とは反対側に配置されてなることが好ましい。
【発明の効果】
【００２４】
本発明の表示装置においては、輝度むらの抑制および薄型化を図ることが可能で、且つ、天井材に取り付ける場合の取付強度を高めることが可能となる。
【図面の簡単な説明】
【００２５】
【図１】実施形態１の表示装置を示し、（ａ）は概略平面図、（ｂ）は概略正面図、（ｃ）は概略断面図である。
【図２】同上の表示装置を２台背中合わせにした場合の使用例に関し、（ａ）は天井材に取り付けた状態を示す概略正面図、（ｂ）は天井材に取り付けた状態を示す概略断面図である。
【図３】実施形態２の表示装置を示し、（ａ）は概略正面図、（ｂ）は概略断面図である。
【図４】実施形態３の表示装置を示し、（ａ）は概略正面図、（ｂ）は概略断面図である。
【図５】実施形態４の表示装置に関し、（ａ）は天井材に取り付けた状態を示す概略正面図、（ｂ）は天井材に取り付けた状態を示す概略断面図である。
【図６】実施形態５の表示装置に関し、（ａ）は天井材に取り付けた状態を示す概略正面図、（ｂ）は天井材に取り付けた状態を示す概略断面図である。
【図７】実施形態６の表示装置を示し、（ａ）は概略正面図、（ｂ）は概略断面図である。
【図８】従来例の誘導灯の分解斜視図である。
【図９】従来例の他の構成例を示す誘導灯の分解斜視図である。
【図１０】従来例のＥＬパネルスピーカの外観を示す斜視図である。
【発明を実施するための形態】
【００２６】
（実施形態１）
以下、本実施形態の表示装置について、図１および図２に基づいて説明する。
【００２７】
本実施形態では、表示装置の一例として誘導灯を例示する。この表示装置は、天井材２０に取り付け可能なものであって、エレクトロルミネッセンスパネルを有する矩形板状の表示パネル１と、商用電源である外部電源（図示せず）に接続可能な端子台２とを備えている。また、表示装置は、端子台２と電気的に接続され表示パネル１を点灯制御する点灯制御部３と、一面（図１（ｃ）では、左面）が開放された箱状（本実施形態では、矩形箱状）の装置本体４とを備えている。なお、表示パネル１を構成するエレクトロルミネッセンスパネルとしては、有機エレクトロルミネッセンスパネルを用いているが、これに限らず、無機エレクトロルミネッセンスパネルを用いてもよい。また、本実施形態におけるエレクトロルミネッセンスパネルの発光色は、白色である。
【００２８】
表示パネル１は、エレクトロルミネッセンスパネルにおける装置本体４とは反対側の表面（図１（ｃ）では、左面）に、避難口へ誘導するためのシンボルが表記された透光性シート（図示せず）が貼り付けられている。したがって、本実施形態の表示装置では、エレクトロルミネッセンスパネルにおける上記表面に上述の透光性シートが貼り付けられている表示パネル１を備えているので、輝度むらを抑制することが可能となる。表示装置は、誘導灯に限らず、例えば、看板や標識などの用途に用いられるものでもよく、用途に応じて適宜のシンボルや図形が表記された透光性シートをエレクトロルミネッセンスパネルにおける上記表面に貼り付ければよい。また、本実施形態では、表示パネル１を、エレクトロルミネッセンスパネルにおける上記表面に上述の透光性シートを貼り付けて構成しているが、表示パネル１の構成はこれに限らず、例えば、エレクトロルミネッセンスパネルにおける上記表面に適宜のシンボルや図形を印刷して構成してもよい。なお、表示パネル１は、上述の透光性シートにおけるエレクトロルミネッセンスパネル側とは反対側の表面が、表示パネル１の表示面を構成している。また、本実施形態では、表示パネル１の形状を正方形状としているので、表示パネル１の表示面を正方形状にすることができ、表示装置の意匠性を向上させることが可能となる。
【００２９】
端子台２は、上記外部電源からの電源線（図示せず）を接続することで上記外部電源と電気的に接続可能なものである。
【００３０】
点灯制御部３は、表示パネル１を点灯させる点灯部（図示せず）と、この点灯部を制御する制御部（図示せず）とを備えることが好ましい。この点灯制御部３は、例えばプリント配線板からなる回路基板（図示せず）に実装された複数の部品３ａを有している。
【００３１】
点灯制御部３は、上記外部電源から端子台２を介して電力が供給される。本実施形態では、点灯制御部３が、上記外部電源からの交流電圧を直流電圧に変換するＡＣ／ＤＣ変換部（図示せず）を備えている。なお、本実施形態では、点灯制御部３が上記ＡＣ／ＤＣ変換部を備えるようにしているが、これに限らず、例えば、上記ＡＣ／ＤＣ変換部を有する電源ユニットを天井裏に設置して、この電源ユニットを接続線により端子台２と電気的に接続するようにしてもよい。これにより、本実施形態では、より一層の薄型化を図ることが可能となる。
【００３２】
装置本体４は、上述のように一面が開放された箱状に形成されており、その内部空間に点灯制御部３などを収納可能となっている。要するに、装置本体４は、点灯制御部３を収納する収納部４ａを有している。また、装置本体４は、上記一面側に表示パネル１が配置される。ここで、本実施形態では、表示パネル１を装置本体４に取り付ける構造として、例えば、表示パネル１に、この表示パネル１を装置本体４の上記一面側に取り付けるための取付片（図示せず）を設け、装置本体４の上記一面側に、表示パネル１の上記取付片を着脱自在に取り付け可能なパネル取付穴（図示せず）を設けているが、表示パネル１を装置本体４に取り付ける手段は、これに限るものではない。なお、本実施形態では、表示パネル１と装置本体４とで、表示ユニット１２を構成している。
【００３３】
装置本体４の上壁４ｆには、天井材２０から引き出された上記電源線を挿通可能な第１の電源線挿通孔４ｂが設けられている。
【００３４】
また、装置本体４の上壁４ｆには、天井材２０へ取り付けるための本体取付部５を有している。本実施形態では、装置本体４の上壁４ｆに、装置本体４を天井材２０に取り付けるための第１取付ねじ（図示せず）を挿通可能な複数（図１では、３つ）の第１挿通孔４ｃが設けられており、これら複数の第１挿通孔４ｃが、本体取付部５を構成している。本体取付部５は、装置本体４の上壁４ｆの外周端よりも内側に設けられている。これにより、装置本体４は、上壁４ｆに本体取付部５を設けたことによる機械的強度の低下を抑制することが可能となる。
【００３５】
したがって、本実施形態の表示装置は、装置本体４の上壁４ｆに本体取付部５を有することによって、従来例の図１０に示した構成の有機ＥＬパネルスピーカ６１を用いたＥＬパネルスピーカシステムに比べて、厚み方向の専有スペースを狭くすることが可能で、表示装置全体の薄型化を図ることが可能となり、また、天井材２０に取り付ける場合の取付強度を高めることが可能となる。
【００３６】
また、本実施形態の表示装置は、天井材２０以外の造営材である壁材にも取り付け可能なものである。本実施形態では、装置本体４の背壁４ｈに、壁材から引き出された上記電源線を挿通可能な第２の電源線挿通孔４ｄが設けられている。また、装置本体４の背壁４ｈには、装置本体４を壁材に取り付けるための第２取付ねじ（図示せず）を挿通可能な複数（図１では、３つ）の第２挿通孔４ｅが設けられている。これにより、本実施形態では、装置本体４を壁材にも取り付けることが可能となっている。
【００３７】
また、装置本体４は、背壁４ｈの厚み方向における上壁４ｆの突出寸法よりも下壁４ｇの突出寸法が小さくなっており、左右両側の側壁４ｋ，４ｊの突出寸法は、上壁４ｆから離れるに従って徐々に小さくなっている。一方、表示パネル１の厚み寸法は、略一定となっている。
【００３８】
したがって、本実施形態における上述の表示ユニット１２は、装置本体４の上壁４ｆから離れるに従って厚み寸法が小さくなっている。これにより、本実施形態では、表示装置の薄型化を図ることが可能となる。
【００３９】
また、本実施形態における表示ユニット１２は、装置本体４の上壁４ｆから離れるに従って表示パネル１の上記表示面が後退している。ここにおいて、装置本体４は、装置本体４の上壁４ｆと表示パネル１とのなす角が９０°よりも小さくなるように形成されている。本実施形態の表示装置では、装置本体４の上壁４ｆから離れるに従って表示パネル１の上記表示面が後退しているので、表示装置の薄型化を図ることが可能となり、また、天井材２０へ取り付けて使用する場合に、表示パネル１の上記表示面の視認性を向上させることが可能となる。
【００４０】
また、本実施形態では、装置本体４が、上壁４ｆから離れるに従って収納部４ａの深さ寸法が小さくなることが好ましい。ここにおいて、点灯制御部３は、装置本体４の収納部４ａにおいて装置本体４の下壁４ｇ側に収納される。また、点灯制御部３は、上記回路基板に実装された複数の部品３ａのうち上記回路基板の厚み方向の高さ寸法が相対的に大きな部品３ａを装置本体４の上壁４ｆ側に配置することが好ましい。また、点灯制御部３は、上記回路基板に実装された複数の部品３ａのうち上記高さ寸法が相対的に小さな部品３ａを装置本体４の下壁４ｇ側に配置することが好ましい。要するに、本実施形態における点灯制御部３は、複数の部品３ａのうち上記回路基板の厚み方向の高さ寸法が相対的に大きな部品３ａを装置本体４の上壁４ｆ側に配置してあることが好ましい。これにより、本実施形態では、装置本体４の上壁４ｆから離れるに従って表示ユニット１２の厚み寸法を小さくすることが可能となり、表示装置の薄型化を図ることが可能となる。
【００４１】
また、本実施形態の表示装置では、端子台２が、収納部４ａにおいて上側に収納されることが好ましい（図１（ｂ）参照）。要するに、本実施形態における端子台２は、装置本体４の収納部４ａにおいて装置本体４の上壁４ｆ側に収納されることが好ましい。これにより、本実施形態の表示装置では、装置本体４の上壁４ｆから離れるに従って表示ユニット１２の厚み寸法を小さくすることが可能となり、表示装置の薄型化を図ることが可能となる。また、本実施形態の表示装置では、端子台２が装置本体４の収納部４ａにおいて装置本体４の下壁４ｇ側に収納された場合に比べて、上記電源線を端子台２に接続するための作業性を向上させることが可能となる。なお、本実施形態の表示装置では、端子台２が、装置本体４の背壁４ｈに固定されている。
【００４２】
また、本実施形態の表示装置は、上記外部電源から点灯制御部３への電力供給が遮断されたときに点灯制御部３へ電力を供給可能な蓄電池６と、上記外部電源から供給された電力により蓄電池６を充電する充電部（図示せず）とを備えることが好ましい。本実施形態では、例えば、点灯制御部３に上記充電部が設けられている。なお、上記制御部は、上記外部電源から点灯制御部３への電力供給が遮断されたときに、蓄電池６に点灯制御部３へ電力を供給させる。
【００４３】
蓄電池６は、収納部４ａにおいて上側に収納されることが好ましい（図１（ｂ）参照）。要するに、本実施形態における蓄電池６は、装置本体４の収納部４ａにおいて装置本体４の上壁４ｆ側に収納されることが好ましい。これにより、本実施形態の表示装置では、例えば、背壁４ｈの厚み方向における蓄電池６の高さ寸法が点灯制御部３の各部品３ａの高さ寸法より大きな場合でも、装置本体４の上壁４ｆから離れるに従って表示ユニット１２の厚み寸法を小さくすることが可能となり、表示装置の薄型化を図ることが可能となる。なお、本実施形態では、蓄電池６が、装置本体４の背壁４ｈに固定されている。また、蓄電池６は、電線（図示せず）を介して上記充電部と電気的に接続されている。
【００４４】
また、本実施形態の表示装置は、点灯制御部３の動作を点検するための操作部（図示せず）を有する点検スイッチ（図示せず）と、蓄電池６の充電状態を表示する発光素子を有する充電モニタ（図示せず）とを具備する点検装置７を備えることが好ましい。なお、上記操作部は、例えば、操作釦により構成することができる。また、点検装置７は、点灯制御部３の上記制御部と電気的に接続されている。
【００４５】
上記点検スイッチは、上記外部電源から点灯制御部３への電力供給が遮断されたときに点灯制御部３が正常に動作するか否かを点検するためのものであって、擬似的に上記外部電源の停電状態を作り出すものである。本実施形態における点検装置７は、上記点検スイッチの上記操作部が装置本体４の下壁４ｇから露出するように配置されることが望ましい。ここにおいて、装置本体４の下壁４ｇには、上記点検スイッチの上記操作部を露出するための第１の窓孔（図示せず）を形成すればよい。また、装置本体４の下壁４ｇには、上記充電モニタを露出するための第２の窓孔（図示せず）が設けられることが望ましい。
【００４６】
以上説明した本実施形態の表示装置では、表示パネル１と装置本体４とで構成される表示ユニット１２が、装置本体４の上壁４ｆから離れるに従って厚さ寸法が小さくなっており、且つ、装置本体４の上壁４ｆに本体取付部５を有しているので、輝度むらの抑制および薄型化を図ることが可能で、且つ、天井材２０に取り付ける場合の取付強度を高めることが可能となる。また、本実施形態の表示装置では、表示パネル１と装置本体４とで構成される表示ユニット１２は、装置本体４の上壁４ｆから離れるに従って表示パネル１の上記表示面が後退しており、且つ、装置本体４の上壁４ｆに本体取付部５を有しているので、輝度むらの抑制および薄型化を図ることが可能で、且つ、天井材２０に取り付ける場合の取付強度を高めることが可能となる。
【００４７】
なお、本実施形態における装置本体４は、少なくとも上記一面が開放されていればよく、例えば、左右両面も開放されていてもよい。
【００４８】
以下、本実施形態の表示装置を２台用いた場合の使用例について、図２に基づいて説明する。
【００４９】
本実施形態では、各表示装置の装置本体４の背壁４ｈを背中合わせにした状態で天井材２０に取り付けられる。これにより、本実施形態では、両面発光型の表示装置を提供することが可能となる。
【００５０】
（実施形態２）
以下、本実施形態の表示装置について、図３に基づいて説明する。
【００５１】
本実施形態の表示装置の基本構成は実施形態１と同じであり、装置本体４の形状が実施形態１と相違する。なお、実施形態１と同様の構成要素には同一の符号を付して説明を適宜省略する。
【００５２】
装置本体４は、上壁４ｆから離れるに従って背壁４ｈが表示パネル１側へ前進しているように形成されている。ここにおいて、装置本体４は、背壁４ｈと上壁４ｆとのなす角が９０°よりも小さくなるように形成されている。なお、表示パネル１と上壁４ｆとのなす角は、９０°に設定してある。
【００５３】
したがって、本実施形態の表示装置でも、表示ユニット１２が、装置本体４の上壁４ｆから離れるに従って厚さ寸法が小さくなっており、且つ、装置本体４の上壁４ｆに本体取付部５を有しているので、輝度むらの抑制および薄型化を図ることが可能で、且つ、天井材（図示せず）に取り付ける場合の取付強度を高めることが可能となる。
【００５４】
（実施形態３）
以下、本実施形態の表示装置について、図４に基づいて説明する。
【００５５】
本実施形態の表示装置の基本構成は実施形態１と同じであり、表示パネル１が湾曲した形で装置本体４の上記一面側に配置されている点が実施形態１と相違する。なお、実施形態１と同様の構成要素には同一の符号を付して説明を適宜省略する。
【００５６】
表示パネル１は、有機エレクトロルミネッセンスパネルを有する表示パネルである。これにより、本実施形態の表示装置では、有機エレクトロルミネッセンスパネルにおける有機エレクトロルミネッセンス素子を形成するための基板としてフレキシブルな基板を用いることにより、表示パネル１を装置本体４の背壁４ｈ側に湾曲した状態で装置本体４に取り付けることが可能である。
【００５７】
したがって、本実施形態の表示装置では、表示パネル１が装置本体４の上壁４ｆから離れるに従って装置本体４側に湾曲した状態で装置本体４に取り付けられるので、実施形態１の表示装置に比べて、表示装置の薄型化をさらに図ることが可能となる。
【００５８】
（実施形態４）
以下、本実施形態の表示装置について、図５に基づいて説明する。
【００５９】
本実施形態の表示装置の基本構成は実施形態１と同じであり、端子台２が天井材２０に予め埋め込み配置された埋込ボックス８に収納される点などが実施形態１と相違する。なお、実施形態１と同様の構成要素には同一の符号を付して説明を適宜省略する。
【００６０】
装置本体４の上壁４ｆの各第１挿通孔４ｃは、埋込ボックス８に予め設けられた舌片（図示せず）に装置本体４を取り付け可能な第３取付ねじ（図示せず）を挿通する機能を有している。これにより、本実施形態では、上記第３取付ねじを装置本体４の上壁４ｆの各第１挿通孔４ｃにそれぞれ挿通し、埋込ボックス８の上記舌片に形成された各取付ねじ孔（図示せず）に螺合することによって、装置本体４を埋込ボックス８に取り付けることが可能となる。
【００６１】
端子台２は、装置本体４の上壁４ｆの上面側に配置されている。
【００６２】
したがって、本実施形態では、端子台２を埋込ボックス８内に配置することによって、実施形態１の表示装置に比べて、表示装置の薄型化をさらに図ることが可能となる。
【００６３】
（実施形態５）
以下、本実施形態の表示装置について、図６に基づいて説明する。
【００６４】
本実施形態の表示装置の基本構成は実施形態４と同じであり、蓄電池６などが実施形態４と相違する。なお、実施形態４と同様の構成要素には同一の符号を付して説明を適宜省略する。
【００６５】
蓄電池６は、実施形態４における蓄電池６に比べて表示ユニット１２の厚み方向に沿った高さ寸法が小さなものである。この蓄電池１１は、収納部４ａにおいて下側に収納されている（図６（ａ）参照）。要するに、本実施形態における蓄電池１１は、装置本体４の収納部４ａにおいて装置本体４の下壁４ｇ側に収納されている。
【００６６】
したがって、本実施形態では、実施形態４に比べて高さ寸法の小さな蓄電池６を用いており、装置本体４の収納部４ａにおいて装置本体４の下壁４ｇ側にこの蓄電池６を収納しているので、実施形態４の表示装置に比べて、表示装置の薄型化をさらに図ることが可能となる。
【００６７】
（実施形態６）
以下、本実施形態の表示装置について、図７に基づいて説明する。
【００６８】
本実施形態の表示装置の基本構成は実施形態１と同じであり、装置本体４における表示パネル１とは反対側に表示パネル９を備える点などが実施形態１と相違する。なお、実施形態１と同様の構成要素には同一の符号を付して説明を適宜省略する。
【００６９】
表示パネル９は、エレクトロルミネッセンスパネルを有する矩形板状の表示パネルである。なお、表示パネル９を構成するエレクトロルミネッセンスパネルとしては、有機エレクトロルミネッセンスパネルを用いているが、これに限らず、無機エレクトロルミネッセンスパネルを用いてもよい。また、本実施形態におけるエレクトロルミネッセンスパネルの発光色は、白色である。以下、説明の便宜上、表示パネル１を第１の表示パネル１と称し、表示パネル９を第２の表示パネル９と称する。また、第１の表示パネル１におけるエレクトロルミネッセンスパネルを第１のエレクトロルミネッセンスパネルと称し、第２の表示パネル９におけるエレクトロルミネッセンスパネルを第２のエレクトロルミネッセンスパネルと称する。
【００７０】
第２の表示パネル９は、第２のエレクトロルミネッセンスパネルにおける装置本体４とは反対側の表面（図７（ｂ）では、右面）に、上述の透光性シートが貼り付けられている。ここにおいて、本実施形態における点灯制御部３は、第１の表示パネル１および第２の表示パネル９を点灯制御する。
【００７１】
したがって、本実施形態の表示装置では、上述の第１の表示パネル１を備えるとともに、第２のエレクトロルミネッセンスパネルにおける上記表面に上述の透光性シートが貼り付けられている第２の表示パネル９を備えているので、両面発光型の表示装置において第１の表示パネル１および第２の表示パネル９の輝度むらを抑制することが可能となる。なお、本実施形態では、第２の表示パネル９を、第２のエレクトロルミネッセンスパネルにおける上記表面に上述の透光性シートを貼り付けて構成しているが、第２の表示パネル９の構成はこれに限らず、例えば、第２のエレクトロルミネッセンスパネルにおける上記表面に適宜のシンボルや図形を印刷して構成してもよい。また、第２の表示パネル９は、上述の透光性シートにおける第２のエレクトロルミネッセンスパネル側とは反対側の表面が、第２の表示パネル９の表示面を構成している。また、本実施形態では、第２の表示パネル９の形状を正方形状としているので、第２の表示パネル９の表示面を正方形状にすることができ、表示装置の意匠性を向上させることが可能となる。
【００７２】
装置本体４は、上記一面側とは反対側（図７（ｂ）では、右側）に第２の表示パネル９が配置される。要するに、本実施形態では、第２の表示パネル９が、装置本体４における第１の表示パネル１側とは反対側に配置されている。ここで、本実施形態では、第２の表示パネル９を装置本体４に取り付ける構造として、例えば、第２の表示パネル９に、この第２の表示パネル９を装置本体４の上記一面側とは反対側に取り付けるための取付片（図示せず）を設け、装置本体４の上記一面側とは反対側に、第２の表示パネル９の上記取付片を着脱自在に取り付け可能なパネル取付穴（図示せず）を設けているが、第２の表示パネル９を装置本体４に取り付ける構造は、これに限るものではない。
【００７３】
したがって、本実施形態では、第２の表示パネル９が、装置本体４における第１の表示パネル１側とは反対側に配置されているので、両面発光型の表示装置を提供することが可能となる。
【符号の説明】
【００７４】
１  表示パネル（第１の表示パネル）
２  端子台
３  点灯制御部
３ａ  部品
４  装置本体
４ａ  収納部
４ｆ  上壁
５  本体取付部
６  蓄電池
９  表示パネル（第２の表示パネル）
１２  表示ユニット
【図１】
0005988188.tif 000002
【図２】
0005988188.tif 000003
【図３】
0005988188.tif 000004
【図４】
0005988188.tif 000005
【図５】
0005988188.tif 000006
【図６】
0005988188.tif 000007
【図７】
0005988188.tif 000008
【図８】
0005988188.tif 000009
【図９】
0005988188.tif 000010
【図１０】
0005988188.tif 000011